(57)【要約】【課題】多種多様な携帯電話において、実際の表示結果にも基づいて適正なコンテンツを表示可能とすること。【解決手段】  携帯電話からコンテンツ送信要求と当該携帯電話の機種情報とを入力する送信要求入力部５０４と、携帯電話におけるコンテンツ表示に係る機能ないし要求スペックに関する機能スペック情報を機種情報毎に格納した機能スペック格納部５０１と、携帯電話の機能ないし要求スペックに対応させてそれぞれ作成されたコンテンツを格納したコンテンツ格納部５０３と、コンテンツ表示結果に関する結果情報と機種情報とを記録する結果情報記録部５０２と、コンテンツ送信要求があった場合に、機種情報と結果情報と機能スペック情報とに基づき、正しく表示されるコンテンツを要求元の携帯電話へ送信するコンテンツ送信部５０８と、を備えたことを特徴とする適正コンテンツ送信システム１００。【選択図】図５
2012048440.tif 000002
【特許請求の範囲】
【請求項１】
携帯電話から、コンテンツ送信要求と当該携帯電話の機種情報とを入力する送信要求入力手段と、
携帯電話におけるコンテンツ表示に係る機能ないし要求スペックに関する機能スペック情報を機種情報毎に格納した機能スペック格納手段と、
携帯電話の機能ないし要求スペックに対応させてそれぞれ作成されたコンテンツを格納したコンテンツ格納手段と、
携帯電話から、コンテンツ表示結果に関する結果情報と機種情報とを入力する結果情報入力手段と、
結果情報入力手段により入力された結果情報と機種情報とを記録する結果情報記録手段と、
送信要求入力手段によりコンテンツ送信要求があった場合に、当該要求元の機種情報と、結果情報記録手段により記録された結果情報と、機能スペック格納手段に格納された機能スペック情報と、に基づき、正しく表示されるコンテンツを決定するコンテンツ決定手段と、
コンテンツ決定手段により決定されたコンテンツをコンテンツ格納手段から抽出し、当該要求元の携帯電話へ送信するコンテンツ送信手段と、
を備えたことを特徴とする適正コンテンツ送信システム。
【請求項２】
機種情報に対する結果情報がない場合または正しく表示できなかったという結果情報である場合に、コンテンツ決定手段により決定されたコンテンツに加えて、当該コンテンツが送信先の携帯電話で正しく表示できたか否かを確認させる確認プログラムを併せて送信するコンテンツ送信制御手段を備え、
前記結果情報は前記確認プログラムに基づいて当該携帯電話から送出された情報であることを特徴とする請求項１に記載の適正コンテンツ送信システム。
【請求項３】
コンテンツが、複数のサブコンテンツの集合からなる場合に、確認プログラムを、各サブコンテンツについて正しく表示できたか否かを確認させる構成としたことを特徴とする請求項２に記載の適正コンテンツ送信システム。
【請求項４】
正しく表示できなかったという結果情報である場合には、コンテンツ決定手段を制御して、結果情報記録手段により記録された当該要求コンテンツに関する結果情報のうち、正しく表示されたという結果の多いコンテンツ順に、または、当該携帯電話と同一の製造元の機種に関する結果情報のうち正しく表示されたという結果の多いコンテンツ順に、コンテンツを決定していく制御をおこなう決定制御手段を備えたことを特徴とする請求項１、２または３に記載の適正コンテンツ送信システム。
【請求項５】
携帯電話におけるコンテンツ表示に係る機能ないし要求スペックに関する機能スペック情報を機種情報毎に格納した機能スペック格納手段と、
携帯電話の機能ないし要求スペックに対応させてそれぞれ作成されたコンテンツを格納したコンテンツ格納手段と、
を備えたコンテンツ送信システムに適用する適正コンテンツ送信方法であって、
携帯電話から、コンテンツ送信要求と当該携帯電話の機種情報とを入力する送信要求入力工程と、
携帯電話から、コンテンツ表示結果に関する結果情報と機種情報とを入力する結果情報入力工程と、
結果情報入力工程で入力された結果情報と機種情報とを記録する結果情報記録工程と、
コンテンツ送信要求があった場合に、当該要求元の機種情報と、結果情報記録工程で記録された結果情報と、機能スペック格納手段に格納された機能スペック情報と、に基づき、正しく表示されるコンテンツを決定するコンテンツ決定工程と、
コンテンツ決定工程で決定されたコンテンツをコンテンツ格納手段から抽出し、当該要求元の携帯電話へ送信するコンテンツ送信工程と、
を含んだことを特徴とする適正コンテンツ送信方法。
【請求項６】
機種情報に対する結果情報がない場合または正しく表示できなかったという結果情報である場合に、コンテンツ決定工程で決定されたコンテンツに加えて、当該コンテンツが送信先の携帯電話で正しく表示できたか否かを確認させる確認プログラムを併せて送信するコンテンツ送信制御工程を含み、
前記結果情報は前記確認プログラムに基づいて当該携帯電話から送出された情報であることを特徴とする請求項５に記載の適正コンテンツ送信方法。
【請求項７】
コンテンツが、複数のサブコンテンツの集合からなる場合に、確認プログラムを、各サブコンテンツについて正しく表示できたか否かを確認させる構成としたことを特徴とする請求項６に記載の適正コンテンツ送信方法。
【請求項８】
正しく表示できなかったという結果情報である場合には、コンテンツ決定工程を制御して、結果情報記録工程で記録された当該要求コンテンツに関する結果情報のうち、正しく表示されたという結果の多いコンテンツ順に、または、当該携帯電話と同一の製造元の機種に関する結果情報のうち正しく表示されたという結果の多いコンテンツ順に、コンテンツを決定していく制御をおこなう決定制御工程を含んだことを特徴とする請求項６、７または８に記載の適正コンテンツ送信方法。
【発明の詳細な説明】
【技術分野】
【０００１】
本発明は、携帯電話におけるコンテンツ表示の適正化を図る適正コンテンツ送信システムおよび適正コンテンツ送信方法に関し、特に、新機種が絶え間なく発売される多種多様な携帯電話において、スペックシート上の適合性だけでなく、実際に表示されたかの検証をもって適正化を図る適正コンテンツ送信システムおよび適正コンテンツ送信方法に関する。
【背景技術】
【０００２】
現在、携帯電話の機種はおよそ１０００種あり、また、メーカ各社においてはいわゆるスマートフォンも含めて新機種を次々と販売している。そして、携帯電話は機種によって画面上で表示または使用できる機能が異なっている。
【０００３】
携帯電話向けのコンテンツ配信においては、これらの機種情報をあらかじめ保持しており、携帯電話から送出される機種情報に基づき、送出するコンテンツを変更して対応をおこなっている。具体的には、各機種のスペックシートに基づき当該機種の機能ないし要求スペックに従って同内容のコンテンツを複数作りわけ、適正に表示されるようにしている。
【０００４】
例えば、引用文献１（特開２００４−２４０５７０）「複数形式対応型ホームページ機器およびコンピュータ・ソフトウェア」に開示する技術では、各形式を認識し、その形式にあったホームページ情報を送出する仕組みが提案されている。
【０００５】
また、引用文献２（特開２００２−２２２１４１）によれば、ユーザがあらかじめコンテンツ配信システムに表示可能な形式を登録することで、ユーザが利用可能なコンテンツを送出するコンテンツ配信システムが提案されている。
【０００６】
しかしながら、従来の技術では以下の問題点があった。
引用文献１に開示される技術では、増え続ける機種の機能の違いが多岐にわたる結果、コンテンツ配信システムがある機種に対して選択または生成したコンテンツを送信しても、実際に当該機種で表示されるか否かは不明であり、実際に当該機種で表示するまで確認できない。しかし、全ての機種で、作成したコンテンツが適正に表示されることを確認することは現実には困難である。加えて、コンテンツを作成した後に発売された機種で当該コンテンツが表示されるかどうか分からないという現実がある。これは、スペックシートに合致していたとしても、新機能の競合発生の可能性もあるためであり、必ずしもコンテンツ表示が適正におこなわれるか分からず確実性に欠けるという問題点がある。
【０００７】
また、引用文献２に開示される技術も、ユーザの想定するコンテンツとコンテンツ配信システムが実際に送信するコンテンツとの差が少ない場合には有効であるが、規格上の制限をユーザが正しく認識して選択するのは現実的ではない。
【先行技術文献】
【特許文献】
【０００８】
【特許文献１】特開２００４−２４０５７０号公報
【特許文献２】特開２００２−２２２１４１号公報
【発明の概要】
【発明が解決しようとする課題】
【０００９】
本発明は上記に鑑みてなされたものであって、多種多様な携帯電話において、実際の表示結果にも基づいて適正なコンテンツを表示可能とすることを目的とする。
【課題を解決するための手段】
【００１０】
請求項１に記載の適正コンテンツ送信システムは、携帯電話から、コンテンツ送信要求と当該携帯電話の機種情報とを入力する送信要求入力手段と、携帯電話におけるコンテンツ表示に係る機能ないし要求スペックに関する機能スペック情報を機種情報毎に格納した機能スペック格納手段と、携帯電話の機能ないし要求スペックに対応させてそれぞれ作成されたコンテンツを格納したコンテンツ格納手段と、携帯電話から、コンテンツ表示結果に関する結果情報と機種情報とを入力する結果情報入力手段と、結果情報入力手段により入力された結果情報と機種情報とを記録する結果情報記録手段と、送信要求入力手段によりコンテンツ送信要求があった場合に、当該要求元の機種情報と、結果情報記録手段により記録された結果情報と、機能スペック格納手段に格納された機能スペック情報と、に基づき、正しく表示されるコンテンツを決定するコンテンツ決定手段と、コンテンツ決定手段により決定されたコンテンツをコンテンツ格納手段から抽出し、当該要求元の携帯電話へ送信するコンテンツ送信手段と、を備えたことを特徴とする。
【００１１】
すなわち、請求項１に係る発明は、機種情報と結果情報とに基づいて、実際に当該機種において適正に表示されるコンテンツを随時選択するので、多種多様な携帯電話において、適正なコンテンツを表示可能となる。また、結果情報を機種情報と共に格納するので、新機種であっても適正に表示されるコンテンツが選択されることとなる。
【００１２】
ここで、携帯電話は、コンテンツを表示する機能が不足していれば適宜当該機能を補うことのできる汎用性のあるコンピュータでなく、画面の大きさや機能制限がありコンテンツ提供側で複数のコンテンツを予め作り分けておく必要のある通信機器をいうものとする。
【００１３】
機種情報とは、当該携帯電話を一意に特定できる情報をいい、単なる型番のみならず、同一型番であってもハードウェアの改変、ファームウェアのアップグレードなど、微差があるものもそれぞれを識別できる情報も含まれていて良いものとする。
【００１４】
携帯電話の機能ないし要求スペックに対応させてそれぞれ作成されたコンテンツとは、作成側が同様の内容として作成したコンテンツをいい、同一内容を含み、機能制限により適宜レイアウトを変えたり、表示方式を変えたりしたものを含む。なお、送出するコンテンツは動的に生成しても良い。例えば、機能ないし要求スペックには依存または影響しないような文字情報（時刻情報など）を適宜データベース等から抽出し、これをコンテンツ内に自動追加する例を挙げることができる。
【００１５】
コンテンツ表示に係る機能ないし要求スペックとは、例えば、Ｆｌａｓｈ，ＪａｖａＳｃｒｉｐｔ，ＸＨＴＭＬ，ＣＳＳなどの機能や、表示画面の大きさ、割り込み制限、処理速度、外部記録メディアの規格などをいう。
【００１６】
結果情報は、表示ができた、表示ができなかった、という○×のみの情報である場合のほか、表示ができたが一部円滑な表示でなかった、部分的に不具合があったという、いわば中間の情報を適宜数値化するなどした情報であっても良いものとする。また、同一機種であっても使用環境によっては、不具合がでる可能性もあるので、回答数に対する適正表示の割合とした情報であっても良いものとする。
【００１７】
なお、本発明においては、表示とは広く出力を意味し、音声情報のみである場合も含まれるものとする。
【００１８】
請求項２に記載のコンテンツ配信システムは、請求項１に記載の適正コンテンツ送信システムにおいて、機種情報に対する結果情報がない場合または正しく表示できなかったという結果情報である場合に、コンテンツ決定手段により決定されたコンテンツに加えて、当該コンテンツが送信先の携帯電話で正しく表示できたか否かを確認させる確認プログラムを併せて送信するコンテンツ送信制御手段を備え、前記結果情報は前記確認プログラムに基づいて当該携帯電話から送出された情報であることを特徴とする。
【００１９】
すなわち、請求項２に係る発明は、ユーザ側から表示結果を入手できるので、実際に適正に表示されたかを多様な機種から簡便に入手でき、ひいてはコンテンツ修正やコンテンツ追加等を円滑におこなうことが可能となる。
【００２０】
なお、確認プログラムは、アンケート形式としてもよく、また、回答率を高めるために、各種サービスに反映できるポイント付与形式としてもよい。
【００２１】
請求項３に記載のコンテンツ配信システムは、請求項２に記載の適正コンテンツ送信システムにおいて、コンテンツが、複数のサブコンテンツの集合からなる場合に、確認プログラムを、各サブコンテンツについて正しく表示できたか否かを確認させる構成としたことを特徴とする。
【００２２】
すなわち、請求項３に係る発明は、機能ないし要求スペックが複数組み合わさったコンテンツであっても詳細に結果情報を入手することができる。
【００２３】
請求項４に記載のコンテンツ配信システムは、請求項１、２または３に記載の適正コンテンツ送信システムにおいて、正しく表示できなかったという結果情報である場合には、コンテンツ決定手段を制御して、結果情報記録手段で記録された当該要求コンテンツに関する結果情報のうち、正しく表示されたという結果の多いコンテンツ順に、または、当該携帯電話と同一の製造元の機種に関する結果情報のうち正しく表示されたという結果の多いコンテンツ順に、コンテンツを決定していく制御をおこなう決定制御手段を備えたことを特徴とする。
【００２４】
すなわち、請求項４に係る発明は、過去の表示結果に基づき、当該機種で適正に表示される可能性の高いコンテンツから順に選択をおこなう。なお、「当該要求コンテンツに関する結果情報のうち、正しく表示されたという結果の多いコンテンツ順」とは、機能ないしスペックにより作り分けられた同内容のコンテンツ群のうち、いわば、最もスコアの高い表示結果の順をいう。このスコアは、同一コンテンツについて最初の１００送信まで確認プログラムを送出し、適正に表示されたという旨の回答数に従って適宜数値化する例を挙げることができる。
【００２５】
請求項５に記載の適正コンテンツ配信方法は、携帯電話におけるコンテンツ表示に係る機能ないし要求スペックに関する機能スペック情報を機種情報毎に格納した機能スペック格納手段と、携帯電話の機能ないし要求スペックに対応させてそれぞれ作成されたコンテンツを格納したコンテンツ格納手段と、を備えたコンテンツ送信システムに適用する適正コンテンツ送信方法であって、携帯電話から、コンテンツ送信要求と当該携帯電話の機種情報とを入力する送信要求入力工程と、携帯電話から、コンテンツ表示結果に関する結果情報と機種情報とを入力する結果情報入力工程と、結果情報入力工程で入力された結果情報と機種情報とを記録する結果情報記録工程と、コンテンツ送信要求があった場合に、当該要求元の機種情報と、結果情報記録工程で記録された結果情報と、機能スペック格納手段に格納された機能スペック情報と、に基づき、正しく表示されるコンテンツを決定するコンテンツ決定工程と、コンテンツ決定工程で決定されたコンテンツをコンテンツ格納手段から抽出し、当該要求元の携帯電話へ送信するコンテンツ送信工程と、を含んだことを特徴とする。
【００２６】
すなわち、請求項５に係る発明は、機種情報と結果情報とに基づいて、実際に当該機種において適正に表示されるコンテンツを随時選択するので、多種多様な携帯電話において、適正なコンテンツを表示可能となる。また、結果情報を機種情報と共に格納するので、新機種であっても適正に表示されるコンテンツが選択されることとなる。
【００２７】
請求項６に記載の適正コンテンツ送信方法は、請求項５に記載の適正コンテンツ送信方法において、機種情報に対する結果情報がない場合または正しく表示できなかったという結果情報である場合に、コンテンツ決定工程で決定されたコンテンツに加えて、当該コンテンツが送信先の携帯電話で正しく表示できたか否かを確認させる確認プログラムを併せて送信するコンテンツ送信制御工程を含み、前記結果情報は前記確認プログラムに基づいて当該携帯電話から送出された情報であることを特徴とする。
【００２８】
すなわち、請求項６に係る発明は、ユーザ側から表示結果を入手できるので、実際に適正に表示されたかを多様な機種から簡便に入手でき、ひいてはコンテンツ修正やコンテンツ追加等を円滑におこなうことが可能となる。
【００２９】
請求項７に記載の適正コンテンツ送信方法は、請求項６に記載の適正コンテンツ送信方法において、コンテンツが、複数のサブコンテンツの集合からなる場合に、確認プログラムを、各サブコンテンツについて正しく表示できたか否かを確認させる構成としたことを特徴とする。
【００３０】
すなわち、請求項７に係る発明は、機能ないし要求スペックが複数組み合わさったコンテンツであっても詳細に結果情報を入手することができる。
【００３１】
請求項８に記載の適正コンテンツ送信方法は、請求項６、７または８に記載の適正コンテンツ送信方法において、正しく表示できなかったという結果情報である場合には、コンテンツ決定工程を制御して、結果情報記録工程で記録された当該要求コンテンツに関する結果情報のうち、正しく表示されたという結果の多いコンテンツ順に、または、当該携帯電話と同一の製造元の機種に関する結果情報のうち正しく表示されたという結果の多いコンテンツ順に、コンテンツを決定していく制御をおこなう決定制御工程と、を含んだことを特徴とする。
【００３２】
すなわち、請求項８に係る発明は、過去の表示結果に基づき、当該機種で適正に表示される可能性の高いコンテンツから順に選択をおこなう。
【発明の効果】
【００３３】
本発明によれば、多種多様な携帯電話において、実際の表示結果にも基づいて適正なコンテンツを表示可能となる。
【図面の簡単な説明】
【００３４】
【図１】本発明のサーバ装置と携帯電話間のシステム概念を示した図であって、当該機種においてコンテンツをはじめて送信する概要を示した図である。
【図２】本発明のサーバ装置と携帯電話間のシステム概念を示した図であって、当該機種において適正に表示されたという表示結果がない場合の概要を示した図である。
【図３】適正なコンテンツ送信をおこなうフローチャートである。
【図４】サーバ装置のハードウェア構成の一例を示した説明図である。
【図５】適正コンテンツ送信システムの機能的構成の一例を示した説明図である。
【図６】従来のサーバ装置と携帯電話間のシステム概念を示した図である。
【発明を実施するための形態】
【００３５】
以下、本発明の実施の形態を図面を参照しながら詳細に説明する。ここでは、コンテンツ送信側をサーバ装置として、サーバ装置と携帯電話間に本発明を適用した適正コンテンツ送信システムおよび適正コンテンツ送信方法について説明する。まず、図６により、従来のサーバ装置と携帯電話間のシステム概念を示し、次に、本発明の構成を説明する。
【００３６】
図６は、図示したように、コンテンツ送信システム６００は、サーバ装置６１０と、携帯電話６２０が存在した構成を示している。
【００３７】
ここでは、携帯電話６２０は、Ｆｌａｓｈ，Ｊａｖａｓｃｒｉｐｔ，ＸＨＴＭＬ，ＣＳＳといった各種機能（機能Ａ，Ｂ，Ｃ・・・とする。）が備わり、表示画素数等の所定のスペックを有するものであるとする。
【００３８】
また、サーバ装置６１０では、機能Ａ，Ｂ，Ｃにより作り分けた、コンテンツ１Ａ，コンテンツ１Ｂ，コンテンツ１Ｃ，・・・，コンテンツ２Ａ，コンテンツ２Ｂ，コンテンツ２Ｃ，・・・，コンテンツ３Ａ，コンテンツ３Ｂ，コンテンツ３Ｃ，・・・、がそれぞれ作成されているとする。
【００３９】
従来では、コンテンツ表示が以下の手順により送出される。
（１）ユーザが、あるＵＲＬを指定して送信要求を送出する。
（２）コンテンツ送信システム６００では、送信要求を受け取り、同時に受信する送信要求を発した携帯電話の機種情報に基づき、機種情報ＤＢからどのような表示機能を当該携帯電話が有しているかを判別する。
（３）コンテンツを格納しているコンテンツＤＢから、判別された機能に基づいてコンテンツを選択する。
（４）選択されたコンテンツを要求元の携帯電話に送出する。
【００４０】
コンテンツ送信システム６００では、各携帯電話のスペックシートに基づくコンテンツを検証せずに送出することとなるので、実際に適正に表示されたかは分からず、いわば一方通行のコンテンツ配信となる。ファームウェアのバージョンアップやその後に販売された携帯電話にも機種情報ＤＢが更新されない限り対応できないという欠点が存在する。本発明では、これらの不具合を次のように解消する。
【００４１】
図１は、本発明のサーバ装置と携帯電話間のシステム概念を示した図であって、当該機種においてコンテンツをはじめて送信する概要を示した図である。すなわち、表示結果の履歴がない場合の概念図である。図２は、本発明のサーバ装置と携帯電話間のシステム概念を示した図であって、当該機種において適正に表示されたという表示結果がない場合の概要を示した図である。
【００４２】
図示したように、適正コンテンツ送信システム１００は、サーバ装置２００と、携帯電話３００（３００ａ、３００ｂ、・・・、３００ｃ）からなる。ここで、携帯電話３００は、Ｆｌａｓｈ，Ｊａｖａｓｃｒｉｐｔ，ＸＨＴＭＬ，ＣＳＳといった各種機能（機能Ａ，Ｂ，Ｃ・・・とする。）が備わり、表示画素数等の所定のスペックを有するものであるとする。
【００４３】
また、サーバ装置２００は、携帯電話におけるコンテンツ表示に係る機能ないし要求スペックに関する機能スペック情報を機種情報毎に格納した機能スペック情報ＤＢ２１０と、携帯電話から、コンテンツが適正に表示されたかの結果に関する情報である結果情報を機種情報毎に記録する結果情報ＤＢ２２０と、機能や要求スペックに基づいて作成されたコンテンツを格納するコンテンツＤＢ２３０と、を有する。なお、コンテンツＤＢ２３０は、同様のコンテンツであり、機能Ａ，Ｂ，Ｃ・・・に対応させて作り分けたコンテンツ１Ａ，コンテンツ１Ｂ，コンテンツ１Ｃ，・・・，コンテンツ２Ａ，コンテンツ２Ｂ，コンテンツ２Ｃ，・・・，コンテンツ３Ａ，コンテンツ３Ｂ，コンテンツ３Ｃ，・・・、が格納されているものとする（なお、コンテンツ１○の表記は、１はコンテンツ番号１系統を、○部分は機能をそれぞれ示すものとする。）
【００４４】
適正コンテンツ送信システム１００では、機能スペック情報ＤＢ２１０と、結果情報ＤＢ２２０とを協働させて、適正なコンテンツ送信をおこなう。図３は、適正なコンテンツ送信をおこなうフローチャートである。
【００４５】
適正コンテンツ送信システム１００では、まず、携帯電話からコンテンツの送信要求と当該送信要求を行った携帯電話の機種情報を入力する（ステップＳ３０１）。なお、ここではコンテンツ番号１の送信要求であったとする（図１）。つづいて、当該携帯電話の機種情報に基づいて結果情報ＤＢ２２０から、要求されたコンテンツ１に関し過去に送信履歴があるかどうかを判断する（ステップＳ３０２）。
【００４６】
送信履歴がない場合（ステップＳ３０２：Ｎｏ）、機能スペック情報ＤＢ２１０から、当該送信要求のあった機種において、適正にコンテンツが表示される可能性の最も高いコンテンツを選択する（ステップＳ３０３）。この場合はコンテンツ１Ｂが選択されたとする（図１）。
【００４７】
適正コンテンツ送信システム１００は、選択したコンテンツを送信要求元の携帯電話に送出する（ステップＳ３０４）。また、同時に、当該コンテンツが送信要求元の携帯電話にて正しく表示されたかを確認させる確認プログラムを送出する（ステップＳ３０５）。
【００４８】
送信要求をおこなった携帯電話では、送出されたコンテンツ（コンテンツ１Ｂ）を当該携帯電話が有する機能ないしスペックに従って表示する（ステップＳ３０６）。また、コンテンツの表示終了後に、確認プログラムを表示し、コンテンツが正しく表示されたかのアンケートを実施する（ステップＳ３０７）。ユーザは、適宜このアンケートに回答し、この表示結果に関する情報は結果情報ＤＢに機種情報と共に格納される（ステップＳ３０８）。なお、点線で表示しているのは、必ずしもアンケートが回答されるとは限らないことを意味したものである。
【００４９】
一方、送信履歴がある場合（ステップＳ３０２：Ｙｅｓ）、送信されたコンテンツに対して適正な表示がされたか否かを結果情報ＤＢ２２０に格納された表示結果に基づいて判断する（ステップＳ３０９）。回答が得られていない場合を含み適正な表示でなかったとの表示結果である場合（ステップＳ３０９：Ｎｏ）には、機能スペック情報ＤＢ２１０から、適正にコンテンツが表示される可能性が次に高いコンテンツを選択する（ステップＳ３１０）。図２では、コンテンツ１Ａとしている。
【００５０】
送信履歴があり（ステップＳ３０２：Ｙｅｓ）、送出されたコンテンツが正しく表示された旨の表示結果である場合（ステップＳ３０９：Ｙｅｓ）、次回から当該コンテンツを当該機種情報にかかる携帯電話には送出するようにする（ステップＳ３１１）。なお、この場合は、確認プログラムの送出は不要である。
【００５１】
なお、適正に表示されたがアンケートを回答しなかった場合や、プラグインソフトをダウンロードした結果、他の同一機種では表示は問題ないのにたまたまその回答した機種で表示がうまくいかなかった場合も想定される。反対に、他のダウンロードソフト等の影響でたまたまその携帯電話では表示が適正となったものの、他の同一機種ではほとんど表示が適正とならない場合もある。また、回答間違いの可能性もある。
【００５２】
従って、アンケートは当該コンテンツの送信回数が１００回となるまでは送出し、統計処理により最大公約数的に最も適正に表示されたコンテンツを１０１回目から送出するようにすることもできる。また、結果情報ＤＢ２２０に記録された当該要求コンテンツに関する結果情報のうち、正しく表示されたという結果の多いコンテンツ順に、または、当該携帯電話と同一の製造元の機種に関する結果情報のうち正しく表示されたという結果の多いコンテンツ順に、送信要求コンテンツを決定することもできる。この場合、機能を中心にコンテンツを決定しても良い。
【００５３】
次に、サーバ装置２００のハードウェア構成について説明する。図４は、サーバ装置２００のハードウェア構成の一例を示した説明図である。サーバ装置２００は、そのハードウェア構成として、ＣＰＵ４０１と、ＲＯＭ４０２と、ＲＡＭ４０３と、ハードディスク（ＨＤ）４０４と、グラフィックスカード４０５と、モニタ４０６と、キーボード（Ｋ／Ｂ）４０７と、マウス（ＭＯＵＳＥ）４０８と、ネットワークインターフェースカード（ＮＩＣ）４０９と、を有する。
【００５４】
ＣＰＵ４０１は、ＯＳと共にサーバ装置２００全体を制御し、また、機能スペック情報と結果情報とに基づき適正なコンテンツを送信し、場合により確認プログラムも送出する制御をおこなう。具体的には、例えば、ＣＰＵ４０１は、ハードディスク４０４に格納されているプログラムに従って、機能スペック情報ＤＢ２１０、結果情報ＤＢ２２０、コンテンツＤＢ２３０を制御し、適正なコンテンツの送出制御等をおこなう。このほかＣＰＵ４０１は、ハードディスク４０４に格納されている作業データをＲＡＭ４０３に一時保存する制御等もおこなう。
【００５５】
ＲＯＭ４０２は、ブートプログラム等を記憶する。使用の態様によっては、ＲＯＭ４０２は、サーバ装置２００の制御プログラムを格納しておいてもよい。ＲＡＭ４０３は、ＣＰＵ４０１のワークエリアとして使用する。具体的には、ハードディスク４０４から読み出されたデータベースの内容やプログラム内容などを一時的に格納する。また、機能スペック情報、機種情報、結果情報を一時的に格納する処理をおこなってもよい。
【００５６】
ハードディスク４０４は、オペレーティングシステム（ＯＳ）、アプリケーションプログラム、各種のデータを記憶し、データベースの格納処理をおこなう。ハードディスクの構成については後述する。
【００５７】
グラフィックスカード４０５は、モニタ４０６へ出力すべき画像信号を送出する。グラフィックスカード４０５は、出力すべき画像信号を格納するＶＲＡＭと、処理された画像信号をモニタ４０６へ出力する画像出力インターフェース（画像出力Ｉ／Ｆ）も備える。画像出力Ｉ／Ｆは、ＶＲＡＭに展開されたＲＧＢ画像データをモニタ４０６へ出力する。
【００５８】
ＮＩＣ４０９は、サーバ装置２００をネットワークＮに接続する。通信方式は特に限定されず、コンテンツの送信に関しても適宜負荷分散を図るようにしても良い。
【００５９】
ハードディスク４０４は、アプリケーション部４１０とデータ格納部４２０とにより構成される。アプリケーション部４１０は、サーバ装置２００全体を制御するＯＳ４１１と、適正コンテンツを送信する適正送信プログラム群４１２とにより構成される。
【００６０】
適正送信プログラム群４１２は、コンテンツ送信要求、機種情報、機能スペック情報、結果情報等の各種情報を入力し、また、コンテンツや確認プログラムを送出する入出力プログラム４１３と、入力した機種情報、機能スペック情報、結果情報をそれぞれ対応づけてデータ格納部４２０に記録する記録プログラム４１４と、同内容のコンテンツ群のうち、どのコンテンツを送出するかを決定するコンテンツ決定プログラム４１５と、確認プログラムを送出するか否かを判定する確認プログラム送出制御プログラム４１６と、を有する。
【００６１】
なお、上記プログラムは、サーバ装置２００が果たすコンテンツ決定の観点から集約されたプログラム群を説明したに過ぎず、実際のプログラムは多数のコンポーネントやＤＬＬなどにより構成される。後述する機能的構成は、これらのプログラムが単体でもしくは複数で、場合によってはデータ格納部４２０と協働して各種実現されるものである。
【００６２】
次に、データ格納部４２０について説明する。図示したように、データ格納部４２０は、機能スペック情報ＤＢ２１０、結果情報ＤＢ２２０、および、コンテンツＤＢ２３０を有する。機能スペック情報ＤＢ２１０は、機種情報と当該機種における機能ないし要求スペックとを対応づけて格納する。また、新規な機種情報（登録されていない機種情報）も記録し、表示結果に基づいて適正に表示できた機能ないし要求スペック、および、適正に表示できなかった機能ないし要求スペックも記録していく。また、各携帯電話のスペックシートにも基づき、適正に表示される可能性の高い順も記録しておき、ある機能に基づいて作成されたコンテンツが適正に表示できなかった場合に、次に、試行してみるコンテンツ候補の決定に資するようにする。
【００６３】
結果情報ＤＢ２２０は、コンテンツないしサブコンテンツそれぞれに対して機種情報と表示結果を対応させて記録する。表示結果は、先に示したように、サンプル例を複数（例えば同一機種について１００の結果が得られるまで）として、評価をおこなうようにしても良い。
【００６４】
コンテンツＤＢ２３０は、機能ないし要求スペックに対応させて同内容でそれぞれ作成されたコンテンツを格納する。なお、機能としては同一で、携帯電話の画面解像度に応じてレイアウトを変えた系統を格納するなどしても良い。
【００６５】
次に、適正コンテンツ送信システム１００の機能的構成について説明する。図５は、適正コンテンツ送信システム１００の機能的構成の一例を示した説明図である。適正コンテンツ送信システム１００は、機能的構成として、機能スペック格納部５０１と、結果情報記録部５０２と、コンテンツ格納部５０３と、送信要求入力部５０４、結果情報入力部５０５と、コンテンツ決定部５０６と、決定制御部５０７と、コンテンツ送信部５０８と、コンテンツ送信制御部５０９と、を有する。
【００６６】
機能スペック格納部５０１は、携帯電話におけるコンテンツ表示に係る機能ないし要求スペックに関する機能スペック情報を機種情報毎に格納する。機能スペック格納部５０１は、例えば、機能スペック情報ＤＢ２１０と、記録プログラム４１４と、ＯＳ４１１などによりその機能を実現できる。
【００６７】
結果情報記録部５０２は、携帯電話から、コンテンツ表示結果に関する結果情報と機種情報とを入力する。結果情報記録部５０２は、例えば、結果情報ＤＢ２２０と、記録プログラム４１４と、ＯＳ４１１などによりその機能を実現できる。
【００６８】
コンテンツ格納部５０３は、携帯電話の機能ないし要求スペックに対応させてそれぞれ作成されたコンテンツを格納する。コンテンツ格納部５０３は、コンテンツＤＢ２３０と、ＯＳ４１１と、ＲＡＭ４０３などによりその機能を実現できる。
【００６９】
送信要求入力部５０４は、携帯電話から、コンテンツ送信要求と当該携帯電話の機種情報とを入力する。機種情報は、同一機種でもファームウェアのアップグレード等でいわゆるバージョンが異なっている場合に当該情報も送出する機種であればその情報も入手する。この場合は、それぞれ別の機種情報として入力しても良い。また、これらに区別がない場合で表示結果に相違がでる場合は、確認プログラムにバージョン情報を取得させるようにしてもよい。送信要求入力部５０４は、例えば、入出力プログラム４１３と、ＯＳ４１１と、ＮＩＣ４０９などによりその機能を実現することができる。
【００７０】
結果情報入力部５０５は、携帯電話から、コンテンツ表示結果に関する結果情報と機種情報とを入力する。結果情報は、確認プログラムに基づいて携帯電話側から出力されるようにする。コンテンツが、複数のサブコンテンツの集合からなる場合には、確認プログラムを各サブコンテンツについて正しく表示できたか否かを確認させる構成とし、細分化した結果情報として入力する。結果情報入力部５０５は、例えば、入出力プログラム４１３と、ＯＳ４１１と、ＮＩＣ４０９などによりその機能を実現することができる。
【００７１】
コンテンツ決定部５０６は、送信要求入力部５０４によりコンテンツ送信要求があった場合に、当該要求元の機種情報と、結果情報記録部５０２により記録された結果情報と、機能スペック格納部５０１に格納された機能スペック情報と、に基づき、正しく表示されるコンテンツを決定する。コンテンツがサブコンテンツに分かれている場合には、最適なサブコンテンツの組合せをコンテンツ決定部５０６がその都度組み合わせるようにしてもよい。
【００７２】
決定制御部５０７は、正しく表示できなかったという結果情報である場合には、コンテンツ決定部５０６を制御して、結果情報記録部５０２により記録された当該要求コンテンツに関する結果情報のうち、正しく表示されたという結果の多いコンテンツ順に、または、当該携帯電話と同一の製造元の機種に関する結果情報のうち正しく表示されたという結果の多いコンテンツ順に、コンテンツを決定していく制御をおこなう。また、場合により、統計処理して、同一の機種情報について所定回数（例えば１００回）送信した場合に最も適正に表示されたとの回答数の多いコンテンツを決定する制御としても良い。
【００７３】
コンテンツ決定部５０６および決定制御部５０７は、例えば、コンテンツ決定プログラム４１５と、ＯＳ４１１と、ＲＡＭ４０３などによりその機能を実現できる。
【００７４】
コンテンツ送信部５０８は、コンテンツ決定部５０６により決定されたコンテンツをコンテンツ格納部５０３から抽出し、当該要求元の携帯電話へ送信する。コンテンツ送信部５０８は、例えば、入出力プログラム４１３と、ＯＳ４１１と、ＮＩＣ４０９などによりその機能を実現することができる。
【００７５】
ここで、コンテンツ送信制御部５０９は、機種情報に対する結果情報がない場合または正しく表示できなかったという結果情報である場合に、コンテンツ決定部５０６により決定されたコンテンツに加えて、当該コンテンツが送信先の携帯電話で正しく表示できたか否かを確認させる確認プログラムを併せて送信する。
【００７６】
確認プログラムは特に限定されないが、コンテンツが単一の機能で処理される場合には、コンテンツの表示後に「コンテンツ表示に問題はありませんでしたか？」というページを表示させ、下部に「問題なし」「表示が滑らかでない」「音声に不具合」「全く表示されず」といった、押下ボタンを表示させ、これをユーザにより押下させるようにする例（押下情報が結果情報となる）を挙げることができる。また、サブコンテンツに分かれ、例えば、表示枠が実質的に上下に二つに分かれ、それぞれ別の機能により表示されるようであれば、確認プログラムでは、それぞれの枠毎に、上記のようなボタン表示し、押下情報を入手するようにしても良い。
【００７７】
コンテンツ送信制御部５０９は、例えば、確認プログラム送出制御プログラム４１６と、入出力プログラム４１３と、ＯＳ４１１と、ＮＩＣ４０９などによりその機能を実現することができる。
【００７８】
適正コンテンツ送信システム１００は、以上の構成であるので、ユーザ側から新機種も含めて順次機種情報と機能スペック情報を入手および更新し、適正なコンテンツを送信することができる。コンテンツ提供側においては、新機種等、結果情報をみて表示が必ずしも適正でない場合には、適宜個別にコンテンツを適正化することも可能となる。
【００７９】
なお、適正コンテンツ送信システム１００は、上記の態様に限定されない。例えば、適正なコンテンツがない場合には、最低限の内容を表示したｈｔｍｌを送出するようにしても良い。また、確認プログラムで回答協力したユーザにはポイント付与し、累積ポイントに応じて適宜商品交換や別途のサービス提供、通信費の軽減など、還元サービスをおこなうようにすることもできる。
【産業上の利用可能性】
【００８０】
本発明によれば、従来は困難であったホームページ表示の試験を閲覧者自身がおこなう仕組みを提供でき、これにより、コンテンツないしホームページの作成・維持にかかる労力を軽減することができる。また、新たなコンテンツを提供する場合であっても、それまでに得られた結果情報を考慮して同内容のコンテンツ群を作ればよいので、コンテンツの修正等の負荷が軽減される。
【符号の説明】
【００８１】
１００  適正コンテンツ送信システム
２００  サーバ装置
２１０  機能スペック情報ＤＢ
２２０  結果情報ＤＢ
２３０  コンテンツＤＢ
３００  携帯電話
４０３  ＲＡＭ
４０４  ハードディスク
４０５  グラフィックスカード
４０９  ＮＩＣ
４１０  アプリケーション部
４１１  ＯＳ
４１２  適正送信プログラム群
４１３  入出力プログラム
４１４  記録プログラム
４１５  コンテンツ決定プログラム
４１６  確認プログラム送出制御プログラム
４２０  データ格納部
５０１  機能スペック格納部
５０２  結果情報記録部
５０３  コンテンツ格納部
５０４  送信要求入力部
５０５  結果情報入力部
５０６  コンテンツ決定部
５０７  決定制御部
５０８  コンテンツ送信部
５０９  コンテンツ送信制御部
６００  コンテンツ送信システム
７００  サーバ装置
８００  携帯電話
【図１】
2012048440.tif 000003
【図２】
2012048440.tif 000004
【図３】
2012048440.tif 000005
【図４】
2012048440.tif 000006
【図５】
2012048440.tif 000007
【図６】
2012048440.tif 000008